(57)【要約】【課題】無線基地局を無線変復調部と無線送受信部に分離し、その間において複数のディジタルベースバンド信号を多重して伝送する装置において、装置間の伝送路で発生するディジタルベースバンド信号のビット誤りに起因した非常に大きな雑音が瞬時的に発生した場合にも、無線回線の品質低下を抑制する。【解決手段】無線変復調部は複数のディジタルベースバンド信号をアダマール変換により直交線形多重した後に語長制限とパラレル−シリアル変換を行う。無線送受信部はシリアル−パラレル変換した後に逆アダマール変換によりディジタルベースバンド信号を分離する。多重数をＮとした時に瞬時的な雑音電力を１／Ｎに減じることができ、無線回線の品質低下を抑制する。【選択図】図２
2008278125.tif 000002
【特許請求の範囲】
【請求項１】
無線基地局を無線変復調部と無線送受信部に分離し、その間において複数のディジタルベースバンド信号を多重して伝送する無線基地局装置において、
無線変復調部は複数のディジタルベースバンド信号のアダマール変換と語長制限を行う手段を有し、
無線変復調部は受信した多重信号に対して逆アダマール変換を行い、ディジタルベースバンド信号を分離する手段を具備することを特徴とする前記無線基地局装置。
【請求項２】
親局と、該親局と別の場所に配置される子局とを備え、親局で変調されたディジタルベースバンド信号を子局に伝送する無線基地局装置であって、
前記親局は、
ネットワークから入力される複数のキャリアの信号を変調し、子局から出力される無線信号の電力値に対応する、予め定められたビット数で表されるディジタルベースバンド信号を求める変調部と、
前記変調部で求められた複数のキャリアのディジタルベースバンド信号をアダマール変換し、前記子局へ出力する変換部と
を有し、
前記子局は、
前記親局から出力された信号を逆アダマール変換する逆変換部と、
前記逆変換部で変換された信号に基づき無線信号を生成し、該無線信号をアンテナから出力するための無線送信部と
を有する前記無線基地局装置。
【請求項３】
前記親局は、
前記変換部で変換された信号を入力し、下位ビットを削除して前記予め定められたビット数の信号にし、該信号を前記子局に出力する語長制限部
をさらに有する請求項２に記載の無線基地局装置。
【請求項４】
前記変換部は、前記変調部で求められた複数のＮキャリア（Ｎは整数）のディジタルベースバンド信号Ｘ（Ｎ）を次式によりアダマール変換して伝送信号Ｙ（Ｎ）を求める請求項２に記載の無線基地局装置。
【数１】
2008278125.tif 000018
【請求項５】
前記無線基地局装置は前記子局を複数備え、
各子局が複数の場所に配置され、及び、各子局が前記親局との伝送路を介して伝送信号を送受信する請求項２に記載の無線基地局装置。
【請求項６】
親局と、該親局と別の場所に配置される子局とを備え、親局で復調されるディジタルベースバンド信号を伝送する無線基地局装置であって、
アンテナから、複数のキャリアの無線信号を受信する無線受信部と、
前記無線受信部で受信された、複数のキャリアの予め定められたビット数で表される無線信号をアダマール変換し、前記親局へ出力する変換部と
を有し、
前記親局は、
前記子局から出力された伝送信号を逆アダマール変換する逆変換部と、
前記逆変換部で変換された信号に基づき、複数のキャリアの伝送信号を復調してネットワークへ出力する復調部と
を有する前記無線基地局装置。
【請求項７】
前記子局は、
前記変換部で変換された信号を入力し、下位ビットを削除して前記予め定められたビット数の信号にし、該信号を前記親局に出力する語長制限部
をさらに有する請求項６に記載の無線基地局装置。
【請求項８】
前記変換部は、前記無線受信部で受信された、複数のＮキャリア（Ｎは整数）の無線信号Ｘ（Ｎ）を次式によりアダマール変換して伝送信号Ｙ（Ｎ）を求める請求項６に記載の無線基地局装置。
【数２】
2008278125.tif 000019
【請求項９】
前記無線基地局装置は前記子局を複数備え、
各子局が複数の場所に配置され、及び、各子局が前記親局との伝送路を介して伝送信号を送受信する請求項６に記載の無線基地局装置。
【発明の詳細な説明】
【技術分野】
【０００１】
本発明は、無線基地局装置に係り、特に、無線基地局の変復調データ伝送装置、及び、ディジタルベースバンド信号の多重方法に関する。
【背景技術】
【０００２】
地下街やビル内等の電波の届かない不感地エリアは、小規模かつ散在している。不感地エリアに対し、開空間エリア用の高価な無線基地局装置を設置するのは不経済であり、かつ狭いスペースであるが故に、無線基地局装置を容易に設置できない場合が多い。
これを解決するため、スペース上の制約を受けない場所に、無線基地局装置の大半を占める無線データの変復調部を設置し、光ファイバやメタリックケーブルによる伝送媒体を利用し、地下街やビル内等に無線送受信部並びにアンテナを分離設置する無線基地局装置は、不感地エリア対策として経済面、設置条件面、共に有効な装置構成である。
【０００３】
また、近年の無線通信に対する要求は日増しに高まっており、高トラヒックが想定されるエリアに対しては、サービスを行う周波数チャネル（以後、キャリアと呼ぶ）を複数利用し、サービス提供する場合も増加している。
【０００４】
これら段落［０００２］、段落［０００３］の技術に対し、無線基地局装置のデータ変復調部と無線送受信部の間を、光ファイバやメタリックケーブルによる伝送媒体で接続し、複数キャリアのデータを時分割多重化し伝送する標準規格が開示されている。規格の一つとして非特許文献１に示す、Ｃｏｍｍｏｎ  Ｐｕｂｌｉｃ  Ｒａｄｉｏ  Ｉｎｔｅｒｆａｃｅ  （ＣＰＲＩ）が知られている。
【０００５】
同規格では、複数のキャリアデータである変復調ディジタル信号（以後、ディジタルベースバンド信号と呼ぶ）に加えて、分離した無線基地局装置間の制御信号などを重畳させ伝送する事が可能なインターフェースが定義される。同規格によると、Ｕ−Ｐｌａｎｅと称したディジタルベースバンド信号をマッピングする領域と、Ｃ＆Ｍ−Ｐｌａｎｅと称した制御信号などをマッピングする領域につき、各々、伝送ビット誤り率を１×１０−１２以下と規定している。特に、Ｕ−Ｐｌａｎｅにおいては、原価効率を考慮し、物理層における誤り訂正符号の採用は避けて構築すべきとの記載が併記される。
【０００６】
一方、無線基地局装置の無線特性は、３ＧＰＰおよび３ＧＰＰ２などで標準仕様が策定されており、３ＧＰＰ２によると、無線基地局装置が送信する変調信号の波形品質は０．９７以上と規定される。
【非特許文献１】ＣＰＲＩ  Ｓｐｅｃｉｆｉｃａｔｉｏｎ  Ｖ２．０（２００４−１０−０１）、＜ＵＲＬ＞ｈｔｔｐ：／／ｗｗｗ．ｃｐｒｉ．ｉｎｆｏ／
【非特許文献２】３ＧＰＰ２  Ｃ．Ｓ００２４  ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ、＜ＵＲＬ＞ｈｔｔｐ：／／ｗｗｗ．３ｇｐｐ２．ｏｒｇ／
【発明の開示】
【発明が解決しようとする課題】
【０００７】
ディジタルベースバンド信号を伝送する装置間インターフェースの伝送ビット誤り率を、１×１０−１２以下で実現できたとしても、雑音や干渉などの要因により、瞬時的なビット誤りが発生する可能性は否めない。
【０００８】
ディジタルベースバンド信号は複素ＩＱ信号で量子化ビット幅をもつため、瞬時的なビット誤りが、最上位ビットにあたる等、誤るビット如何では、一時的に想定電力を超える雑音が加算される事と等価な状況が発生する。例えば、変復調部と無線送受信部が別々の場所にあり伝送路で接続された構成では、その伝送路においてベースバンド信号の上位ビットに誤りが生じることがある。この場合、アンテナから出力される電力は大きな誤差が生じることになる。
【０００９】
ディジタルベースバンド信号の量子化ビット数をＫ、最下位ビット振幅ｑ、伝送ビット誤り率Ｐｅとした場合、伝送ビット誤りによる雑音電力Ｎｐｏｗは［数１］のように表される。
【数１】
2008278125.tif 000003
［数１］の第１項は最下位ビットの誤りによる雑音電力を表し、第Ｋ項は最上位ビットの誤りによる雑音電力を表している。［数１］を見てもわかるように、雑音電力の大半は上位ビットのビット誤りが支配項であると言える。
【００１０】
一方、ディジタルベースバンド信号の信号電力Ｓｐｏｗは［数２］で表される。
【数２】
2008278125.tif 000004
αはバックオフ比と呼ばれ、量子化ビット数Ｋで表現できる最大値に対するディジタルベースバンド信号実効値との比である。
【００１１】
ディジタルベースバンド信号のＳＮＲ（Ｓｉｇｎａｌ  ｔｏ  Ｎｏｉｓｅ  Ｒａｔｉｏ、信号対雑音比）ならびに、無線信号の波形品質ρは、［数３］ならびに［数４］で表される。
【数３】
2008278125.tif 000005
【数４】
2008278125.tif 000006
最上位ビットが誤った場合、信号電力Ｓｐｏｗを上回る雑音電力Ｎｐｏｗが瞬時的に発生し、瞬時的な雑音によりＳＮＲが劣化し、無線信号の波形品質が一時的に低下する一要因であることが言える。逆に、最下位ビットにあたるビット誤りの場合は、無線信号の波形品質対してほとんど影響が無いことも言える。すなわち、１ビット毎の重みが異なるディジタルベースバンド信号の伝送には、ビット誤り率の規定は、発生頻度が低下するだけで本質的な克服手段とは言い難い。
【００１２】
以上説明した様に、従来の複数キャリアのディジタルベースバンド信号を伝送する方法では、伝送路におけるディジタルベースバンド信号の瞬時的なビット誤りに起因した雑音電力が発生し、無線回線の品質が一時的に低下するする課題があった。
【００１３】
本発明は、以上の点に鑑み、瞬時的なディジタルベースバンド信号の伝送ビット誤りに起因した無線回線の品質劣化を抑圧するディジタルベースバンド信号の時分割多重を行う無線基地局装置を提供することを目的とする。
また、本発明は、無線基地局装置において、アダマール変換により直交線形多重化することによって、ディジタルベースバンド信号のビット誤りに起因した瞬時的な雑音電力を１／Ｎに減じ、無線信号の波形品質低下を抑制することを目的のひとつとする。
また、本発明は、論理設計上、本発明に係る論理ブロックは加算器のみで実現可能であるため、極めて少ない論理規模によって、ディジタルベースバンド信号のビット誤りに対する無線信号の品質劣化を抑制することを目的のひとつとする。
【課題を解決するための手段】
【００１４】
上記目的を達成するため、本発明では、複数キャリアのディジタルベースバンド信号の時分割多重伝送方法において、無線データ変復調部から無線送受信部へ送出する複数キャリアのディジタルベースバンド信号を、時分割多重化する前に、アダマール変換による直交線形多重処理および語長制限処理を行い、その後、パラレル−シリアル変換をして時分割多重伝送する方法・装置を提供する。この信号を受信する無線送受信部では、シリアル−パラレル変換した後に、逆アダマール変換によりディジタルベースバンド信号を分離再生する方法を提供する。
【００１５】
アダマール変換とは、［数５］、［数６］に表す、＋１、−１を要素とした各行ベクトルが直交基底ベクトルである２ｎ行×２ｎ行の正方行列（アダマール行列  Ｈ（ｎ））による直交変換である。
【数５】
2008278125.tif 000007
【数６】
2008278125.tif 000008
【００１６】
Ｎキャリアのディジタルベースバンド信号をＸ（Ｎ）としたときの、アダマール変換出力Ｙ（Ｎ）ならびに逆アダマール変換出力Ｚ（Ｎ）は、［数７］、［数８］で表される。
【数７】
2008278125.tif 000009
【数８】
2008278125.tif 000010
Ｘ（Ｎ）はアダマール変換により直交線形多重されるため、多重数Ｎにおいては伝送路でのビット誤りによる瞬時的な雑音電力を１／Ｎに減じることができ、キャリア毎の無線信号の波形品質低下を抑制することが可能となる。
【００１７】
一方、アダマール変換出力Ｙ（Ｎ）は、Ｎ個の加算演算処理が実施されるため、Ｘ（Ｎ）の量子化ビット数をＫ、最小量子化振幅をｑとした場合、ディジタル論理演算上、Ｙ（Ｎ）の語長ＷＬは［数９］に示すビット数に拡張される。
【数９】
2008278125.tif 000011
ディジタルベースバンド信号の伝送帯域幅の増加は、無線基地局装置間の伝送効率を下げ、キャリア数の多重度や、無線基地局装置間の伝送距離、など、システム拡充する際のトレードオフ要因となってしまう。しかし、上記段落［００１１］で述べたように、ディジタルベースバンド信号の下位データにあたるビットの丸め込み誤差に対しては、無線基地局装置の送信信号の波形品質ならびに統計的性質を保つことが可能である。
【００１８】
アダマール変換出力Ｙ（Ｎ）の実効値は１／√Ｎ倍となるから、最下位ビット振幅はｑ／√Ｎとした語長Ｋビットに制限する語長制限処理を行うことができる。すなわち、下位Ｌｏｇ２Ｎビット分を丸め込み演算処理しＫビットとして扱うことが可能である。この時、最上位ビット振幅ｐは［数１０］となる。
【数１０】
2008278125.tif 000012
これより、アダマール変換出力Ｙ（Ｎ）の語長を元の量子化ビット数Ｋに制限でき、ディジタルベースバンド信号の伝送帯域幅を増やすことなく実現できる。
【００１９】
本発明の第１の解決手段によると、
無線基地局を無線変復調部と無線送受信部に分離し、その間において複数のディジタルベースバンド信号を多重して伝送する無線基地局装置において、
無線変復調部は複数のディジタルベースバンド信号のアダマール変換と語長制限を行う手段を有し、
無線変復調部は受信した多重信号に対して逆アダマール変換を行い、ディジタルベースバンド信号を分離する手段を具備することを特徴とする前記無線基地局装置が提供される。
本発明の第２の解決手段によると、
親局と、該親局と別の場所に配置される子局とを備え、親局で変調されたディジタルベースバンド信号を子局に伝送する無線基地局装置であって、
前記親局は、
ネットワークから入力される複数のキャリアの信号を変調し、子局から出力される無線信号の電力値に対応する、予め定められたビット数で表されるディジタルベースバンド信号を求める変調部と、
前記変調部で求められた複数のキャリアのディジタルベースバンド信号をアダマール変換し、前記子局へ出力する変換部と
を有し、
前記子局は、
前記親局から出力された信号を逆アダマール変換する逆変換部と、
前記逆変換部で変換された信号に基づき無線信号を生成し、該無線信号をアンテナから出力するための無線送信部と
を有する前記無線基地局装置が提供される。
本発明の第３の解決手段によると、
親局と、該親局と別の場所に配置される子局とを備え、親局で復調されるディジタルベースバンド信号を伝送する無線基地局装置であって、
アンテナから、複数のキャリアの無線信号を受信する無線受信部と、
前記無線受信部で受信された、複数のキャリアの予め定められたビット数で表される無線信号をアダマール変換し、前記親局へ出力する変換部と
を有し、
前記親局は、
前記子局から出力された伝送信号を逆アダマール変換する逆変換部と、
前記逆変換部で変換された信号に基づき、複数のキャリアの伝送信号を復調してネットワークへ出力する復調部と
を有する前記無線基地局装置が提供される。
【発明の効果】
【００２０】
本発明によると、瞬時的なディジタルベースバンド信号の伝送ビット誤りに起因した無線回線の品質劣化を抑圧するディジタルベースバンド信号の時分割多重を行う無線基地局装置を提供することができる。
本発明による無線基地局装置では、アダマール変換により直交線形多重化することによって、ディジタルベースバンド信号のビット誤りに起因した瞬時的な雑音電力を１／Ｎに減じることができ、無線信号の波形品質低下を抑制することができる。
また、論理設計上、本発明に係る論理ブロックは加算器のみで実現可能であるため、極めて少ない論理規模によって、ディジタルベースバンド信号のビット誤りに対する無線信号の品質劣化を抑制することができる。
【発明を実施するための最良の形態】
【００２１】
以下、本実施の形態の無線基地局装置について図面を用いて説明する。
図１に、本実施の形態に係る無線基地局装置のシステム全体構成例を示す。
図１に示すシステム構成例は、親局装置と称する基地局装置の大半を占める無線データの変復調部を例えば設置スペースの制約が無い場所等に設置し、ビル内の電波の届かない不感地エリアや狭い設置スペースしか許容されない不感地エリアに、子局装置と称する無線送受信部並びにアンテナを分離設置する構成例である。
親局装置（無線変復調部）１は、例えば、ラインインタフェース部１１と、データ変調処理部１２と、アダマール変換部１３と、語長制限部１４と、シリアライザ部１５と、データ復調処理部１６と、逆アダマール変換部１７と、デシリアライザ部１８とを有する。
子局装置（無線送受信部）２は、例えば、デシリアライザ部２１と、逆アダマール変換部２２と、無線送信部２３と、デュプレクサ部２４と、シリアライザ部２５と、語調制限部２６と、アダマール変換部２７と、無線受信部２８とを有する。また、子局装置２には、アンテナ２９が接続されている。
分離設置された親局装置と子局装置の間は、光ファイバやメタリックケーブルによる伝送媒体を利用して接続する。親局装置の設置場所に、従来の無線基地局装置の構成同様、子局装置を設置することも可能である。
【００２２】
図２に、本実施の形態による無線データの変復調機能を有する親局装置と無線送受信部並びにアンテナを有する子局装置の装置内構成ブロックを示す。図２は、子局装置における各アンテナでサービスする最大キャリア数を４とした例の構成ブロック図である。なお、キャリア数は適宜の数でもよく、親局、子局はキャリア数に応じた各ブロックを有することができる。
【００２３】
無線データの変復調機能を有する親局装置（無線変復調部）は、下り４キャリア分のキャリアデータであるディジタルベースバンド信号Ｘ１〜Ｘ４を、アダマール変換により直交線形多重し、語長制限、パラレル−シリアル変換した後、下り伝送路を経由して無線送受信部（子局装置）に多重信号を送出する。無線送受信部はシリアル−パラレル変換、逆アダマール変換によりディジタルベースバンド信号を分離再生し、無線送信信号に変換し、アンテナから送信する。上り信号についても、同様処理を行うものとする。
【００２４】
対象キャリア数を４（Ｎ＝４）、ディジタルベースバンド信号をＸ１〜Ｘ４、Ｘ１〜Ｘ４の量子化ビット数をＫ、とした場合における、アダマール変換出力Ｙ１〜Ｙ４は、［数５］、［数６］より［数１１］で表される。ディジタルベースバンド信号Ｘ１〜Ｘ４は、無相関に設定されるものとする。
【数１１】
2008278125.tif 000013
【００２５】
Ｘ１〜Ｘ４の量子化ビット数がＫビットの例において、Ｙ１〜Ｙ４の語長ＷＬは［数７］より、Ｋ＋２ビット幅に拡張されるが、上記段落［００１８］に示す語長制限を行うことで語長Ｋビットに制限した、Ｙ’１〜Ｙ’４の送信信号をシリアライザ部へ送出する。
【００２６】
Ｙ’１〜Ｙ’４の送信信号をパラレル−シリアル変換し伝送路に送出し、受信側でシリアル−パラレル変換の後、逆アダマール変換を行う。逆アダマール変換出力Ｚ１〜Ｚ４は［数１２］に示す操作により実施される。なお、伝送後の信号をＹ’’１〜Ｙ’’４とする。Ｙ’’は、例えば伝送路でビット誤りが生じていることもある。
【数１２】
2008278125.tif 000014
逆アダマール変換出力Ｚ１〜Ｚ４は、受信信号であるＹ’’１〜Ｙ’’４信号のひとつにビット誤りが生じた場合においても、各信号が互いに直交するアダマール変換の効果によって、そのビット誤りがＺ１〜Ｚ４に分散されることがわかる。また、受信信号であるＹ’’１〜Ｙ’’４信号の逆アダマール変換出力であるＺ１〜Ｚ４は、上記段落［００１７］ならびに段落［００１８］で述べたとおり、本来の送信信号であるＸ１〜Ｘ４と近似的等価であり、送信信号の波形品質ならびに統計的性質を保った上で再生できる。
【００２７】
また、［数１］と比して、［数１３］に示す逆アダマール変換出力Ｚ１〜Ｚ４の雑音電力Ｎｐｏｗを見ると、各ビットの誤りによる雑音電力が１／４に低減されていることが言える。
【数１３】
2008278125.tif 000015
［数１３］の第１項は最下位ビットの誤りによる雑音電力を表し、第４項は最上位ビットの誤りによる雑音電力を表している。
【００２８】
以上より、瞬時的な雑音電力を各キャリアの無線回線品質に影響無い範囲で、全Ｎキャリアに分散させ１／Ｎに減ずることによって、キャリア毎の瞬時的な品質低下を抑制することができる。
【００２９】
（基地局装置の構成の概略）
下り信号について、無線基地局装置は、例えば、親局と、該親局と別の場所に配置される子局とを備え、親局で変調されたディジタルベースバンド信号を子局に伝送する無線基地局装置であって、
前記親局は、
ネットワークから入力される複数のキャリアの信号を変調し、子局から出力される無線信号の電力値に対応する、予め定められたビット数で表されるディジタルベースバンド信号を求める変調部と、
前記変調部で求められた複数のキャリアのディジタルベースバンド信号をアダマール変換し、前記子局へ出力する変換部と
を有し、
前記子局は、
前記親局から出力された信号を逆アダマール変換する逆変換部と、
前記逆変換部で変換された信号に基づき無線信号を生成し、該無線信号をアンテナから出力するための無線送信部と
を有する。
また、前記親局は、前記変換部で変換された信号を入力し、下位ビットを削除して前記予め定められたビット数の信号にし、該信号を前記子局に出力する語長制限部
をさらに有する。
前記変換部は、前記変調部で求められた複数のＮキャリア（Ｎは整数）のディジタルベースバンド信号Ｘ（Ｎ）を、次式によりアダマール変換して伝送信号Ｙ（Ｎ）を求める。なお、Ｈ（０）は上記［数５］を参照。
【数１４】
2008278125.tif 000016
また、前記無線基地局装置は前記子局を複数備え、各子局が複数の場所に配置され、及び、各子局が前記親局との伝送路を介して伝送信号を送受信する。
一方上り信号について、無線基地局装置は、例えば、親局と、該親局と別の場所に配置される子局とを備え、親局で復調されるディジタルベースバンド信号を伝送する無線基地局装置であって、
アンテナから、複数のキャリアの無線信号を受信する無線受信部と、
前記無線受信部で受信された、複数のキャリアの予め定められたビット数で表される無線信号をアダマール変換し、前記親局へ出力する変換部と
を有し、
前記親局は、
前記子局から出力された伝送信号を逆アダマール変換する逆変換部と、
前記逆変換部で変換された信号に基づき、複数のキャリアの伝送信号を復調してネットワークへ出力する復調部と
を有する。
前記子局は、前記変換部で変換された信号を入力し、下位ビットを削除して前記予め定められたビット数の信号にし、該信号を前記親局に出力する語長制限部をさらに有する。
前記変換部は、前記無線受信部で受信された、複数のＮキャリア（Ｎは整数）の無線信号Ｘ（Ｎ）を次式によりアダマール変換して伝送信号Ｙ（Ｎ）を求める。なお、Ｈ（０）は上記［数５］を参照。
【数１５】
2008278125.tif 000017
前記無線基地局装置は前記子局を複数備え、各子局が複数の場所に配置され、及び、各子局が前記親局との伝送路を介して伝送信号を送受信する。
【産業上の利用可能性】
【００３０】
本発明は、例えば、無線基地局装置に関する産業に利用可能である。
【図面の簡単な説明】
【００３１】
【図１】本発明の実施形態における無線基地局装置のシステム概念図である。
【図２】本発明の無線基地局装置の構成ブロックを示す図である。
【符号の説明】
【００３２】
１  親局装置（無線変復調部）
２  子局装置（無線送受信部）
１１  ラインインタフェース部
１２  データ変調処理部
１３  アダマール変換部
１４  語調制限部
１５  シリアライザ部
１６  データ復調処理部
１７  逆アダマール変換部
１８  デシリアライザ部
２１  デシリアライザ部
２２  逆アダマール変換部
２３  無線送信部
２４  デュプレクサ部
２５  シリアライザ部
２６  語調制限部
２７  アダマール変換部
２８  無線受信部
２９  アンテナ
【図１】
2008278125.tif 000020
【図２】
2008278125.tif 000021